(57)【特許請求の範囲】
【請求項１】
装置本体を構成する筐体内に配置された作像部の駆動源として用いられる駆動モータを該筐体における一つの面により支持し、該駆動モータの支持面外側に装置本体の外装面が位置する構造を備えた画像形成装置において、
前記駆動モータを支持する筐体の一面と前記外装面との間には、該筐体により開閉可能に支持されて前記外装面をなす表面を備えた電装ユニットが設けられ、
前記電装ユニットには、電装部品が設けられると共に、前記外装面と反対側で前記駆動モータおよびまたは駆動ユニット内の電装基板と対向する面に、前記駆動モータおよびまたは前記電装基板に対向する位置および該駆動モータおよびまたは前記電装基板と対向する位置から離れた位置にそれぞれ開口を有するダクトと、前記駆動モータおよびまたは前記電装基板と離れた位置の開口近傍に位置決めされた排気ファンとが設けられていることを特徴とする画像形成装置。
【請求項２】
前記ダクトにおける前記駆動モータおよびまたは前記電装基板と対向する位置の開口は、該駆動モータおよびまたは前記電装基板の全てもしくは大半を覆うことができる大きさに形成されていることを特徴とする請求項１記載の画像形成装置。
【請求項３】
前記ダクトにおける前記駆動モータから離れた位置の開口は、前記電装ユニットの上方に位置決めされていることを特徴とする請求項１または２記載の画像形成装置。
【請求項４】
前記ダクトは、前記電装ユニットにおける前記駆動モータを支持する筐体と対向する面の一部が用いられることを特徴とする請求項１乃至３のうちの一つに記載の画像形成装置。
【請求項５】
前記ダクトは、前記両方の開口同士の間に前記駆動モータおよびまたは前記電装基板の設置位置に対応して仕切られた流路が形成されていることを特徴とする請求項１乃至４のうちの一つに記載の画像形成装置。
【請求項６】
前記流路は、前記駆動モータおよびまたは前記電装基板と対向する位置から取り込まれて前記排気ファンに向けた空気の流れを集約する案内部が設けられていることを特徴とする請求項５記載の画像形成装置。
【発明の詳細な説明】
【技術分野】
【０００１】
本発明は、画像形成装置に関し、さらに詳しくは装置内での排熱構造に関する。
【背景技術】
【０００２】
複写機やファクシミリ装置あるいはプリンタや印刷機などにおいて電子写真方式を用いる画像形成装置においては、紙などの記録媒体上に転写されて担持されている未定着トナーからなる未定着画像を定着して複写物や印刷出力を得るようになっている。
【０００３】
一方、作像部の構成としては、複数色の画像形成を行う場合を対象として説明すると、潜像担持体である感光体およびこれに対して画像形成処理を行うための帯電装置、現像装置およびクリーニング装置を纏めて収納したプロセスカートリッジを用いることが知られている。
【０００４】
プロセスカートリッジは、画像形成装置の本体として用いられる筐体に対して着脱可能に設けられ、部品や現像剤の交換あるいは保守点検の際に筐体内から取り出されるようになっている。
【０００５】
画像形成装置の内部には、上述したプロセスカートリッジの感光体や現像装置の駆動用、各作像部で形成された画像を転写するために用いられる転写装置の駆動用、さらに記録用紙などに転写された画像を定着する定着装置の駆動用、また、記録用紙の搬送装置の駆動用として、駆動モータが用いられている。
これら駆動モータは発熱源となる部材である。このため、駆動モータで発生した熱をそのままにしておくと、プロセスカートリッジ内の現像装置に収容されている現像剤の変質やプロセスカートリッジ周辺部での過熱の原因となる虞がある。
【０００６】
そこで、駆動モータや定着装置などの発熱原近傍から装置外部に連通する排熱ダクトを設け、ファンなどの強制送風手段を用いて熱源からの熱を装置外部に排出する構成がよく知られている。
しかし、この構成では、筐体内外にダクトが配回されることになり、結果として、筐体内部の空間容積の増加による装置の大型化を招く。
【０００７】
このような構成に対し、装置本体を構成する筐体の一方面に駆動モータの一部が設けられていることを利用して、その駆動モータの一部が取り付けられる板状部材を筐体の外側面に設け、板状部材には、排気ファンを配置し、駆動モータ側を排熱取り込み側とすると、筐体底部に排熱排出口を設けた構成が提案されている（例えば、特許文献１）。
【０００８】
ところで、上述した電装基板のなかには、駆動源の駆動制御のためのコントロール基板などの電装基板も含まれており、駆動モータを対象とする場合には、駆動モータの近傍に電装基板が配置されて保守の際の便宜が図られている。
電装基板では、多くの発熱素子を含む場合もあり、上述した駆動源とは別の発熱源となる。
【０００９】
そこで、電装基板を対象とした排熱構造として、保守頻度の低い電装基板を収容して上面に多数の排熱口が設けられた弁当箱状の内側ブラケットと、保守頻度が高くブラケットの開口面側に設けられてその開口面積よりも小さい面積を有する電装基板を取り付けた外側ブラケットとを備え、内側ブラケットは筐体壁面に対して開閉可能に、そして外側ブラケットは内側ブラケットに対して開閉可能にそれぞれ設け、内側ブラケットには、ダクトを構成する対向した放熱板と放熱板の下方にファンを配置した構成が提案されている（例えば、特許文献２）。
【００１０】
特許文献２に開示された構成では、電装基板の保守時にはブラケットの開閉動作を行うだけで電装基板の露呈が可能となると共に、電装基板からの発生した熱を放熱板により構成されたダクトとファンとによりブラケット外の空間に排出するようになっている。
また、電装基板の排熱に関しては、上述したブラケットに代えて専用の排熱ダクトを設けた構成も提案されている（例えば、特許文献３）。
【発明の概要】
【発明が解決しようとする課題】
【００１１】
駆動モータを対象とした排熱構造が開示されている特許文献１の構成では、駆動モータの保守が必要となった場合、駆動モータが支持されている板状部材を取り外さなければならない。このため、保守作業の際の分解組み付けが面倒となる虞がある。しかも、特許文献１に開示されている構成には、板状部材と電装基板との間にインナーカバーを配置することにより駆動モータなどから発生する騒音を遮断する構成となっている。
このため、駆動モータの保守に際しては、上述した板状部材の他にインナーカバーの取り外し、組み付けも必要となることから保守作業性が悪い。
【００１２】
一方、特許文献２，３に開示されている構成では、駆動モータとは関係のない電装基板の排熱が対象となっていることから、駆動モータの排熱に関する構成は考慮されていない。しかも、電装基板の排熱のための構成部材として内側および外側ブラケットという特別な部材を設ける必要があり、部品点数の増加は否めない。
【００１３】
本発明の目的は、上記従来の画像形成装置における排熱機構における問題に鑑み、部品点数の増加や複雑化を招くことなく、既存構成部材を利用して内部に配置されている機器の保守作業性を損ねることなく効果的な排熱が可能となる構成を備えた画像形成装置を提供することにある。
【課題を解決するための手段】
【００１４】
この目的を達成するために、本発明は、装置本体を構成する筐体内に配置された作像部の駆動源として用いられる駆動モータを該筐体における一つの面により支持し、該駆動モータの支持面外側に装置本体の外装面が位置する構造を備えた画像形成装置において、
前記駆動モータを支持する筐体の一面と前記外装面との間には、該筐体により開閉可能に支持されて前記外装面をなす表面を備えた電装ユニットが設けられ、
前記電装ユニットには、電装部品が設けられると共に、前記外装面と反対側で前記駆動モータおよびまたは駆動ユニット内の電装基板と対向する面に、前記駆動モータおよびまたは前記電装基板に対向する位置および該駆動モータおよびまたは前記電装基板と対向する位置から離れた位置にそれぞれ開口を有するダクトと、前記駆動モータおよびまたは前記電装基板と離れた位置の開口近傍に位置決めされた排気ファンとが設けられていることを特徴とする画像形成装置にある。
【発明の効果】
【００１５】
本発明によれば、予め設けられることが多い電装ユニットの一面を利用して駆動ローラからの熱を排出できるダクトおよび排気ファンを設けているので、既存構造品として用いられる電装ユニットを用いるだけで特別な排熱構造を付け加えることなく熱を排出することができる。
しかも、電装ユニットが筐体に対して開閉可能に支持されているので、電装ユニットよりも奥側に駆動モータが位置している場合には、その駆動モータを保守する際に電装ユニットの開放操作のみでダクトも駆動モータと対向する位置から退避することになるので、ダクトの取り外しなどの作業を要しないで済む。
これにより、保守作業の際に保守以外のダクトの取り外しや組み付け等の作業が必要となる場合と違って、保守作業性を向上させることが可能となる。
【図面の簡単な説明】
【００１６】
【図１】一実施形態にかかる画像形成装置の構成を説明するための模式図である。
【図２】図１に示した装置内に用いられるプロセスカートリッジの構成を説明するための図である。
【図３】図１に示した画像形成装置の外装パネルを取り外して電装ユニットのみを残して示した外観図である。
【図４】図３に示した電装ユニットの開放状態を示す外観図である。
【図５】図３に示した電装ユニットを取り外した筐体部を示す外観図である。
【図６】図１に示した画像形成装置に用いられるプロセスカートリッジを含む周辺部を示す外観図である。
【図７】図３に示した電装ユニットの一面を示す外観図である。
【図８】図７に示した電装ユニットの側面図である。
【図９】図７に示した電装ユニットの一面に設けられる排熱ダクトの構成を説明するための斜視図である。
【図１０】図４に示した電装ユニットと図９に示した排熱ダクトを示す外観図である。
【図１１】画像形成装置の外観図である。
【図１２】図１１に示した画像形成装置における一部を取り除いた状態で排熱ダクトの一部を示す外観図である。
【発明を実施するための形態】
【００１７】
以下、図面により本発明を実施するための形態について説明する。
図１において、画像形成装置１００には、本体内に中間転写ユニット１０１における未定着像担持体としての中間転写ベルト８０の下面に対向して、各色（イエロー、マゼンタ、シアン、ブラック）に対応した作像部６Ｙ、６Ｍ、６Ｃ、６Ｂｋが並設されている。
これらの作像部６Ｙ、６Ｍ、６Ｃ、６Ｂｋ、作像プロセスに用いられるトナーの色が異なる以外は同一構造である。
【００１８】
各作像部６Ｙ、６Ｍ、６Ｃ、６Ｂｋは、潜像担持体としての感光体ドラム１Ｙ、１Ｍ、１Ｃ、１Ｂｋと、感光体ドラム１の周囲に配設された図示しない帯電手段、現像装置５Ｙ、５Ｍ、５Ｃ、５Ｂｋ、図示しないクリーニング手段等で構成されている。
【００１９】
感光体ドラム１Ｙ、１Ｍ、１Ｃ、１Ｂｋ上で、作像プロセスとして、帯電工程、露光工程、現像工程、転写工程、クリーニング工程が順次行われ、感光体ドラム１Ｙ、１Ｍ、１Ｃ、１Ｂｋ上に所望のトナー像が形成される。
帯電工程では、感光体ドラム１が、図示しない駆動部によって図中、時計回り方向に回転駆動され、帯電手段の位置で表面が一様に帯電される。
露光工程では、感光体ドラム１の表面が、露光書き込み部ＬＢから発せられたレーザ光の照射位置に達すると、この位置での露光走査されることにより静電潜像を上記表面に形成される。
現像工程では、感光体ドラム１Ｙ、１Ｍ、１Ｃ、１Ｂｋの表面が、現像装置５Ｙ、５Ｍ、５Ｃ、５Ｂｋとの対向位置に達し、この位置で静電潜像が現像されて、所望のトナー像が形成される。
【００２０】
転写工程は、転写装置１００１に装備されている中間転写ベルト８０に対して順次画像を重ねて転写する１次転写工程と、重畳された画像を記録媒体としての転写紙Ｐに一括転写する２次転写工程とが用いられ、１次転写工程では、感光体ドラム１Ｙ、１Ｍ、１Ｃ、１Ｂｋの表面が、中間転写ベルト８０及び１次転写バイアスローラ９０Ｙ，９０Ｍ，９０Ｃ，９０Ｂｋとの対向位置に達すると、この位置で感光体ドラム１Ｙ、１Ｍ、１Ｃ、１Ｂｋ上のトナー像が中間転写ベルト８０上に転写される。
【００２１】
２次転写工程では、後述するように、２次転写手段としての２次転写ローラ１９０により中間転写ベルト８０上の重畳画像が転写紙Ｐに対して一括転写される。
１次転写後に実行されるクリーニング工程では、感光体ドラム１Ｙ、１Ｍ、１Ｃ、１Ｂｋの表面が、図２において示すクリーニング装置１０との対向位置に達すると、この位置で感光体ドラム１Ｙ、１Ｍ、１Ｃ、１Ｂｋ上に残存した未転写トナーが回収される。クリーニング後、感光体ドラム１Ｙ、１Ｍ、１Ｃ、１Ｂｋの表面は図示しない除電ローラにより電位を初期化される。このような工程を経て、感光体ドラム１上で行われる一連の作像プロセスが終了する。
【００２２】
上述した作像プロセスは、図１に示すように、４つの作像部６Ｙ、６Ｍ、６Ｃ、６Ｂｋにおいてそれぞれ行われる。すなわち、作像部の下方に配設された露光書き込み部ＬＢから、画像情報に基づいたレーザ光が、各作像部６Ｙ、６Ｍ、６Ｃ、６Ｂｋの感光体ドラム１上に向けて照射される。その後、現像工程を経て各感光体ドラム１Ｙ、１Ｍ、１Ｃ、１Ｂｋ上に形成した各色のトナー像を、中間転写ベルト８０上に重ねて転写する。こうして、中間転写ベルト８０上にカラー画像が形成される。
【００２３】
４つの１次転写バイアスローラ９０Ｙ、９０Ｍ、９０Ｃ、９０Ｂｋは、それぞれ、中間転写ベルト８０を感光体ドラム１Ｙ、１Ｍ、１Ｃ、１Ｂｋとの間に挟み込んで１次転写ニップを形成している。１次転写バイアスローラ９０Ｙ、９０Ｍ、９０Ｃ、９０Ｂｋにはトナーの極性とは逆極性の転写バイアスが印加される。
中間転写ベルト８０は、矢印方向に走行して、各１次転写バイアスローラ９０Ｙ、９０Ｍ、９０Ｃ、９０Ｂｋの１次転写ニップを順次通過する。こうして、感光体ドラム１Ｙ、１Ｍ、１Ｃ、１Ｂｋ上の各色のトナー像が、中間転写ベルト８０上に重ねて１次転写される。
【００２４】
その後、各色のトナー像が重ねて転写された中間転写ベルト８０は、２次転写手段としての２次転写ローラ１９０との対向位置に達する。中間転写ベルト８０上に担持されているカラートナー像は、２次転写ニップの位置に搬送された記録媒体としての転写紙Ｐ上に転写される。このような手順を経て一連の転写プロセスが終了する。
【００２５】
画像形成装置１００の本体（以下、便宜上、装置本体１００ともいう）の下部に配設された給紙部２６０には転写紙Ｐが複数枚重ねて収納されており、給紙コロ２７０により１枚ずつ分離されて給紙される。
給紙された転写紙Ｐはレジストローラ対２８０で一旦停止され、斜めずれを修正された後レジストローラ対２８０により所定のタイミングで２次転写ニップに向けて搬送される。そして、２次転写ニップにおいて転写紙Ｐ上に、中間転写ベルト８０に担持されている画像が一括転写され、中間転写ベルト８０上の画像が色毎の重畳画像である場合には所望のカラー画像が転写される。
【００２６】
２次転写ニップの位置でカラー画像を転写された転写紙Ｐは、定着部１１０へ搬送され、ここで、定着ローラ及び圧力ローラによる熱と圧力とにより、表面に転写されたカラー画像を定着される。
定着を終えた転写紙Ｐは、排紙ローラ対２９０により、装置本体上面に形成された排紙部３００へ出力画像として排出され、スタックされる。こうして、画像形成装置における一連の画像形成プロセスが完了する。図１において、符号３２０は読み取り部を示している。
【００２７】
各色の画像形成を行う作像部６Ｙ、６Ｍ、６Ｃ、６Ｂｋには、図２に示す構成を備えたプロセスカートリッジ１０２が用いられている。
プロセスカートリッジ１０２は、装置本体１００に対して着脱可能なユニットで構成されており、内部には、画像形成処理に用いられる感光体ドラム（便宜上、符号１で示す）が配置されている。
感光体ドラム１の周囲には、図示矢印方向に沿って画像形成処理工程を実行するための帯電装置７、書き込み装置（便宜上、書き込み光を符号Ｌで示す）、現像装置５、クリーニング装置１０が配置されている。
帯電装置７は、感光体ドラム１に近接して回転可能な帯電ローラが用いられ、またクリーニング装置１０には、転写後の感光体ドラム１から残留トナーを掻き取るクリーニングブレード１０Ａおよび感光体ドラム１の摩擦係数低減のための潤滑剤を塗布する潤滑剤塗布装置１０Ｂが設けられている。なお、図２において符号７Ａは、帯電ローラのクリーニングを行うクリーニングローラを示している。
【００２８】
図２において、現像装置５は、現像剤を収容可能な空間を有する現像槽５０の内部に配置された現像スリーブ５Ａ、上下に配置されて現像槽５０に設けられた仕切り部５０Ａにより隔絶された空間内に配置されている第１，第２の現像剤搬送部材５１，５２と、現像スリーブ５Ａの下周面に対向して配置された層厚規定用のドクターブレード５３とを備えている。
【００２９】
現像スリーブ５Ａは、詳細を図示しないが、周方向に沿って複数の磁極を設けたマグネットローラの外周囲において回転可能に設けられたスリーブで構成されている。マグネットローラに設けられた各磁極は、Ｎ，Ｓ極の配置系列に応じた磁力線を生成するようになっており、磁力線に沿って形成された磁気ブラシ中のキャリアがスリーブの回転に伴いスリーブ周面上を転動するようになっている。
【００３０】
以上のような構成の画像形成装置を対象として、本実施形態での特徴を説明すると次の通りである。
図３は、画像形成装置１００において図１１に示すように、図１に示した読み取り部３２０および外装パネル１００Ａが取り付けられている状態から、読み取り部３２０および外装パネル１００Ａの一部を取り除いて装置本体を構成する筐体１００Ｂを示す図である。
【００３１】
同図において、筐体１００Ｂの内部には、図２に示すプロセスカートリッジ１０２が複数並置されるスペースが設けられており、プロセスカートリッジ１０２の長手方向一方側には、画像形成装置１００の外装パネル１００Ａと同一面上に位置して装置の外装面の一部をなす表面２０００Ｈを有する電装ユニット２０００が設けられている。このため、電装ユニット２０００は、画像形成装置１００における筐体１００Ｂの一面と外装パネル１００Ａとの間に配置されていることになる。
【００３２】
電装ユニット２０００は、筐体１００Ｂにより図４に示すように開閉可能に支持されており、開放した際には、図５以降の図において説明する駆動モータ（便宜上、符号Ｍで示す）を支持する駆動ユニット２００１を外部に露呈できるようになっている。
【００３３】
図５は、電装ユニット２０００を取り除いた状態の筐体を示す図であり、同図において、筐体の一つの面、詳しくは、電装ユニット２０００と対向する側の壁面には、駆動モータＭが上述した駆動ユニット２００１を介して取り付けられている。
【００３４】
駆動ユニット２００１は、図６に示すように、複数のプロセスカートリッジ１０２の長手方向一方側を纏めて支持するブラケットで構成され、外側面には駆動モータＭおよび電装基板（便宜上、符号ＰＣＢと表示する）が設けられている。
【００３５】
一方、筐体１００Ｂにおける駆動ユニット支持面と画像形成装置１００の外装面、つまり外装パネル１００Ａの位置との間に設けられている電装ユニット２０００は、その構成が図７に示されている。
図７において電装ユニット２０００は、図８に示すように駆動ユニット２００１に支持されている駆動モータＭや電装基板ＰＣＢと対向する面にダクト２００２が設けられている。
【００３６】
ダクト２００２は、駆動モータＭや電装基板ＰＣＢと対向する位置および駆動モータＭや電装基板ＰＣＢから離れた位置、図８に示すように、電装ユニット２０００の上方とに連通する空間を有する筐体で構成されている。
【００３７】
図９は、ダクト２００２の内部構造を示すと共にダクト２００２の設置位置を模式的に示す図であり、同図において、ダクト２００２は、電装ユニット２０００の外表面と対向する面を開放され、駆動モータＭや電装基板ＰＣＢと対向する位置が、これら各部材の全てあるいは大半を覆うことができる広がりを有した熱気取り込み部２００２Ａとされ、駆動モータＭや電装基板ＰＣＢから離れた位置が、熱気取り込み部２００２Ａから連続する空間を絞った排気部２００２Ｂとされている。従って、ダクト２００２内は、熱気取り込み口２００２Ａ側から取り込まれた空気が排気口２００２Ｂ側にて集約されて流れることになる。
【００３８】
ダクト２００２の内部には、熱気取り込み部２００２Ａにおいて排熱を要する各部材を対象とした流路Ｒ１，Ｒ２，Ｒ３が形成されており、各流路Ｒ１，Ｒ２，Ｒ３は複数の仕切り部材２００２Ｃによって区切られている。
ダクト２００２は、筐体側の駆動ユニット２００１と対向する電装ユニット２０００の外表面に取り付けられることにより、電装ユニット２０００の外壁の一部を構成し、熱気取り込み部２００２Ａおよび排気部２００２Ｂの位置がそれぞれ開口を構成している。従って、熱気取り込み部２００２Ａは取り込み口に相当し、排気部２００２Ｂは排気口に相当している。
ダクト２００２は、電装ユニット２０００の壁面に沿って設けられているので、排気口２００２Ｂには、空気の流動方向を壁面に平行する方向から後述する外装パネル３２０Ａ側のラス穴３２０Ａ１に向けて方向を切り換えるためのエルボ部材２００４が取り付けられている。
【００３９】
これら各流路Ｒ１，Ｒ２，Ｒ３は、排気部２００２Ｂの近傍で仕切り部材２００２Ｃが欠損されて合流しており、合流位置、つまり排気口２００２Ｂ近傍には、流路Ｒ１，Ｒ２，Ｒ３の内部に取り込んだ熱気を外部に排出可能な排気ファン２００３が設けられている。
【００４０】
ダクト２００２は、開放されている一面の壁部に設けられた複数のネジ挿通フランジ２００２Ｄおよび係止爪２００２Ｅを電装ユニット２０００側の対応部に締結および係合することで取り付けられるようになっている。
【００４１】
ダクト２００２は、筐体側の駆動ユニット２００１に対向する電装ユニット２０００の外表面の一部を構成しており、電装ユニット２０００側に対向する面が開放されているので、電装ユニット２０００内での電装部品が発熱した場合に発生する外表面での熱気を駆動ユニット２００２側からの熱気と共に外部に排出することもできるようになっている。従って、電装ユニット２０００の一面をダクト２００２の設置部とすることで、本来の機能である駆動ユニット２００１からの熱気の排出に加えて、設置部である電装ユニット２０００の放熱という機能を併せ持たせることができる。
【００４２】
ダクト２００２は、電装ユニット２０００の一面に一体化されているので、図１０に示すように、筐体１００Ｂに対して開閉自在に支持されている電装ユニット２０００が開放されると、筐体１００Ｂ側には残らないようになっている。これにより、筐体１００Ｂ側に位置する駆動ユニット２００１あるいはその近傍の部材を対象とした保守時には、電装ユニット２０００を開放するだけで必要な箇所を外部に露呈させることができる。
【００４３】
ダクト２００２に設けられている排気口２００２Ｂは、電装ユニット２０００の上方に位置決めされているが、その位置は、図１１，１２に示すように、筐体１００Ｂにおける読み取り部３２０（図１参照）が設けられるフレームに取り付けられる外装パネル３２０Ａに対応させてある。なお、図１１は、外装パネル３２０Ａを取り除いた状態を示している。
外装パネル３２０Ａには、排気のためのラス穴（複数の長穴）３２０Ａ１が設けられ、外部とダクト２００２内とが連通している。
【００４４】
以上の構成においては、筐体内で外装面よりも奥まった位置に設けられている駆動モータＭの熱を排出するための構成として、排熱流路を構成するダクト２００２を用いるが、ダクト２００２は、画像形成装置内の既存構成として用いられる電装ユニット２０００に設けられている。これにより、電装ユニット２０００の一部が駆動モータＭの排熱部として用いられることになるので、筐体内に予め駆動モータ専用の排熱構造を設ける必要がない。従って、電装ユニット２０００の一面が排熱部としてのダクト２００２を構成していることになるので、排熱ダクトを改めて設けた場合と違って、部品点数の低減や省スペース化が図れる。
【００４５】
しかも、ダクト２００２は、電装ユニット２０００における駆動モータＭと対向する面に設けられて電装ユニット２０００の一面を構成しているので、駆動モータＭをはじめとする筐体奥部の保守点検時などには、電装ユニット２０００を開放することでダクト２００２も一緒に電装ユニット２０００の開放方向に退避するので、保守点検の際の邪魔にならないようにできる。
【００４６】
ダクト２００２には、発熱源となる位置に対応して流路Ｒ１，Ｒ２，Ｒ３が区切られて設けられているので、発熱源からの熱気を一括して取り込む場合と違って、排気ファン２００３による吸気を各発熱源に有効に作用させることができるので、一括して取り込む場合のような、発熱原間で熱気の取り込みが不均衡となる虞がない。
【００４７】
なお、上記形態においては、電装ユニット２０００の支持構造として開閉可能に設けた構造を対象としたが、これに変えて、着脱可能な支持構造とすることも可能である。
また、排気ファン２００３は、一定した回転数による流量設定の形式に限らず、空気の集約位置での温度あるいは発熱原側での温度を検知して回転数を変化させる形式を用いることも可能である。
【符号の説明】
【００４８】
１００  画像形成装置
１００Ｂ  筐体
２０００  電装ユニット
２００１  駆動ユニット
２００２  ダクト
２００２Ａ  熱気取り込み口
２００２Ｂ  排気口
２００２Ｃ  仕切り部材
２００３  排気ファン
Ｒ１，Ｒ２，Ｒ３  流路
ＰＣＢ 電装基板
Ｍ 駆動モータ
２００Ｂ 筐体
【先行技術文献】
【特許文献】
【００４９】
【特許文献１】特開２００８−８３３０５号公報
【特許文献２】特開平７−１２９０６１号公報
【特許文献３】特開２００５−８４２３５号公報
【図１】
0005874332.tif 000002
【図２】
0005874332.tif 000003
【図３】
0005874332.tif 000004
【図４】
0005874332.tif 000005
【図５】
0005874332.tif 000006
【図６】
0005874332.tif 000007
【図７】
0005874332.tif 000008
【図８】
0005874332.tif 000009
【図９】
0005874332.tif 000010
【図１０】
0005874332.tif 000011
【図１１】
0005874332.tif 000012
【図１２】
0005874332.tif 000013